(57)【要約】【課題】  着用による体型補正インナーのめくれ、ズレおよび着くずれ等を防止し、きれいなボディラインを保つことができる体型補正機能付き衣服を提供する。【解決手段】  本考案に係る体型補正機能付き衣服１Ａは、身体を締め付ける作用とその締め付けを開放する作用とを任意に選択可能な締付調整手段２２を備えた体型補正インナー２Ａが、衣服本体３Ａの内側に一体的または着脱自在に取り付けられてなる。前記締付調整手段２２は、身体のウェストや脚部を締め付ける作用とその締め付けを開放する作用とを任意に選択可能である。【選択図】  図３
0003184725.tif 000002
【実用新案登録請求の範囲】
【請求項１】
身体を締め付ける作用とその締め付けを開放する作用とを任意に選択可能な締付調整手段を備えた体型補正インナーが、衣服本体の内側に一体的または着脱自在に取り付けられてなる、体型補正機能付き衣服。
【請求項２】
前記締付調整手段は、身体のウェストを締め付ける作用とその締め付けを開放する作用とを任意に選択可能である、請求項１に記載の体型補正機能付き衣服。
【請求項３】
前記締付調整手段は、身体の脚部を締め付ける作用とその締め付けを開放する作用とを任意に選択可能である、請求項１に記載の体型補正機能付き衣服。
【請求項４】
前記締付調整手段は、前記体型補正インナーの締め付け方向の寸法を変えることにより締め付け度合いを調整する、請求項１から請求項３のいずれかに記載の体型補正機能付き衣服。
【請求項５】
前記締付調節手段は、一対の務歯列を備えたスライドファスナーによって開閉可能に構成されているとともに、一方の前記務歯列から締め付け方向に所定の間隔離れた位置には、他方の前記務歯列と係合し、前記体型補正インナーのサイズを調節するサイズ調整務歯列を一列以上有している、請求項１から請求項４のいずれかに記載の体型補正機能付き衣服。
【請求項６】
前記衣服本体がワンピース型である場合、上衣部分の脇線および／または下衣部分の外側線に沿って設けられたサイドファスナーと、前記サイドファスナーの開口部に縫製されており、前記サイドファスナーを閉じたときには前記衣服本体の裏側に収納され、前記サイドファスナーを開けたときには前記衣服本体の表側に現れて前記上衣部分および／または前記下衣部分のサイズを調整するサイズ調整生地とを有している、請求項１から請求項５のいずれかに記載の体型補正機能付き衣服。
【請求項７】
前記衣服本体がワンピース型である場合、下衣部分の大腿部に、着用により吊り上がった衣服本体を元の位置に戻すために指を掛けられる指掛けタブが設けられている、請求項１から請求項６のいずれかに記載の体型補正機能付き衣服。
【請求項８】
前記衣服本体の襟部には、端縁部に沿って形状記憶ワイヤーが取り付けられて被覆されている、請求項１から請求項７のいずれかに記載の体型補正機能付き衣服。
【請求項９】
前記衣服本体の襟部は化粧がつきにくい素材で形成されている、請求項１から請求項８のいずれかに記載の体型補正機能付き衣服。
【請求項１０】
前記衣服本体には、抗菌加工、防臭加工および抗ウイルス加工のうち、一以上の特殊加工が施されている、請求項１から請求項９のいずれかに記載の体型補正機能付き衣服。
【考案の詳細な説明】
【技術分野】
【０００１】
本考案は、体型を補正する機能を有する体型補正機能付き衣服に関するものである。
【背景技術】
【０００２】
従来、体型を補整する機能を有する衣服が提案されており、例えば、特開２０１２−２３３２８６号公報には、身体の上半身を部分的に締め付けるための締め付け部材を配置しても、当該締め付け部材の存在が衣類本体部に現れることを抑制することが可能な体型補整衣類が開示されている（特許文献１）。
【先行技術文献】
【特許文献】
【０００３】
【特許文献１】特開２０１２−２３３２８６号公報
【考案の概要】
【考案が解決しようとする課題】
【０００４】
しかしながら、上記特許文献１を含め、従来の体型補整衣類は、外側に着衣する、いわゆるアウターとは独立して内側に着衣する、いわゆるインナーとして単体で構成されており、着用者はインナーの上から別途、アウターを着用している。このため、インナーとしての体型補整衣類は、着用によるめくれ、ズレおよび着くずれ等が発生しやすく、きれいなボディラインを保つことができないという問題がある。
【０００５】
本考案は、このような問題点を解決するためになされたものであって、着用による体型補正インナーのめくれ、ズレおよび着くずれ等を防止し、きれいなボディラインを保つことができる体型補正機能付き衣服を提供することを目的としている。
【課題を解決するための手段】
【０００６】
本考案に係る体型補正機能付き衣服は、身体を締め付ける作用とその締め付けを開放する作用とを任意に選択可能な締付調整手段を備えた体型補正インナーが、衣服本体の内側に一体的または着脱自在に取り付けられてなる。
【０００７】
また、本考案の一態様として、前記締付調整手段は、身体のウェストを締め付ける作用とその締め付けを開放する作用とを任意に選択可能であってもよい。
【０００８】
さらに、本考案の一態様として、前記締付調整手段は、身体の脚部を締め付ける作用とその締め付けを開放する作用とを任意に選択可能であってもよい。
【０００９】
また、本考案の一態様として、前記締付調整手段は、前記体型補正インナーの締め付け方向の寸法を変えることにより締め付け度合いを調整する構成であっててもよい。
【００１０】
さらに、本考案の一態様として、前記締付調節手段は、一対の務歯列を備えたスライドファスナーによって開閉可能に構成されているとともに、一方の前記務歯列から締め付け方向に所定の間隔離れた位置には、他方の前記務歯列と係合し、前記体型補正インナーのサイズを調節するサイズ調整務歯列を一列以上有する構成であってもよい。
【００１１】
また、本考案の一態様として、前記衣服本体がワンピース型である場合、上衣部分の脇線および／または下衣部分の外側線に沿って設けられたサイドファスナーと、前記サイドファスナーの開口部に縫製されており、前記サイドファスナーを閉じたときには前記衣服本体の裏側に収納され、前記サイドファスナーを開けたときには前記衣服本体の表側に現れて前記上衣部分および／または前記下衣部分のサイズを調整するサイズ調整生地とを有していてもよい。
【００１２】
さらに、本考案の一態様として、前記衣服本体がワンピース型である場合、下衣部分の大腿部に、着用により吊り上がった衣服本体を元の位置に戻すために指を掛けられる指掛けタブが設けられているのが好ましい。
【００１３】
また、本考案の一態様として、前記衣服本体の襟部には、端縁部に沿って形状記憶ワイヤーが取り付けられて被覆されているのが好ましい。
【００１４】
さらに、本考案の一態様として、前記衣服本体の襟部は化粧がつきにくい素材で形成されているのが好ましい。
【００１５】
また、本考案の一態様として、前記衣服本体には、抗菌加工、防臭加工および抗ウイルス加工のうち、一以上の特殊加工が施されているのが好ましい。
【考案の効果】
【００１６】
本考案によれば、着用による体型補正インナーのめくれ、ズレおよび着くずれ等を防止し、きれいなボディラインを保つことができる。
【図面の簡単な説明】
【００１７】
【図１】本考案に係る体型補正機能付き衣服の第１実施形態を示す全体図である。
【図２】第１実施形態の体型補正機能付き衣服を示す略側面図である。
【図３】第１実施形態の体型補正機能付き衣服を示す（ａ）背面透視図、および（ｂ）正面透視図である。
【図４】第１実施形態の締付調整手段を示す拡大図である。
【図５】第１実施形態において、（ａ）上衣部分および下衣部分のサイドファスナーを閉じた状態、（ｂ）下衣部分のサイドファスナーのみ開いた状態、および（ｃ）上衣部分および下衣部分のサイドファスナーを開いた状態を示す図である。
【図６】第１実施形態において、（ａ）襟を立てた状態、および（ｂ）襟を寝かした状態を示す図である。
【図７】本考案に係る体型補正機能付き衣服の第２実施形態を示す全体図である。
【図８】第２実施形態の体型補正機能付き衣服を示す正面透視図である。
【図９】本考案に係る体型補正機能付き衣服の第３実施形態を示す全体透視図である。
【考案を実施するための形態】
【００１８】
以下、本考案に係る体型補正機能付き衣服の第１実施形態について図面を用いて説明する。
【００１９】
図１から図３に示すように、本第１実施形態の体型補正機能付き衣服１Ａは、看護師、歯科衛生士およびエステティシャン等が着用するのに好適な女性用の白衣として構成したものであり、着用者の体型を補正する体型補正インナー２Ａが、衣服本体３Ａの内側に一体的に取り付けられて構成されている。以下、各構成部について説明する。
【００２０】
まず、体型補正インナー２Ａは、着用者の身体を締め付けて体型を補正するためのものである。本第１実施形態において、体型補正インナー２Ａは、図３に示すとおり、主にウェストラインを補正するノースリーブ形状に形成されており、その背面が上下方向に沿う直線状の縫合線２１に沿って衣服本体３Ａの内側に縫い付けられている。
【００２１】
なお、本第１実施形態では、体型補正インナー２Ａの背面を衣服本体３Ａに縫製することにより一体的に取り付けているが、この構成に限定されるものではない。例えば、左右の両側面を衣服本体３Ａに縫い付ければ、ズレ防止の効果が高まるし、全体的に縫合すれば、ズレ自体が発生しなくなる。また、着用時に取り付けられるのであれば、体型補正インナー２Ａを衣服本体３Ａに対して着脱可能に取り付けてもよい。
【００２２】
また、体型補正インナー２Ａは、図３および図４に示すとおり、身体のウェストを締め付ける作用とその締め付けを開放する作用とを任意に選択可能な締付調整手段２２を備えている。本第１実施形態において、締付調整手段２２は、左右一対の務歯列２２ａ，２２ｂを備えたスライドファスナー２２によって正面が開閉可能に構成されている。このスライドファスナー２２は、スライダー２２ｄの上下位置を任意に選択することで、体型補正インナー２Ａの締め付け方向の寸法を変更し、締め付け度合いを調整するようになっている。
【００２３】
なお、本第１実施形態では、締付調整手段２２がスライドファスナー２２によって構成されているが、この構成に限定されるものではない。身体を締め付ける作用とその締め付けを開放する作用とを任意に選択可能に構成されているものであれば、締付調整手段２２は面ファスナー、ホックおよびボタン等から構成されていてもよい。
【００２４】
また、本第１実施形態において、締付調整手段２２は、右方務歯列２２ｂから締め付け方向に所定の間隔離れた位置に、左方務歯列２２ａと係合し、体型補正インナー２Ａのサイズを調節するサイズ調整務歯列２２ｃを有している。このため、左方務歯列２２ａにサイズ調整務歯列２２ｃを係合させた場合における体型補正インナー２Ａの締め付け方向のサイズは、左方務歯列２２ａに右方務歯列２２ｂを係合させた場合と比較して、前記所定の間隔分だけ小さくなるようになっている。
【００２５】
なお、本第１実施形態では、右方務歯列２２ｂから右方向へ所定の間隔離れた位置に、左方務歯列２２ａと係合するサイズ調整務歯列２２ｃを設けているが、この構成に限定されるものではない。すなわち、一対の務歯列を備えたスライドファスナー２２において、一方の務歯列から所定の間隔離れた位置に、他方の務歯列と係合するサイズ調整務歯列２２ｃを有していればよい。また、本第１実施形態では、サイズ調整務歯列２２ｃを一列のみ設けているが、この構成に限定されるものではなく、一方の務歯列から締め付け方向に異なる間隔で二列以上のサイズ調整務歯列２２ｃを設けてもよい。さらに、本第１実施形態では、各務歯列を開閉させるスライダー２２ｄが二つ設けられているが、一つのスライダー２２ｄで兼用させてもよい。
【００２６】
また、本第１実施形態において、体型補正インナー２Ａは、図３（ｂ）に示すとおり、所望のバストパッドをセットするパッド用ポケット２３を有している。このため、様々な着用者の体型にフィットさせられるとともに、胸の形を整えるようになっている。また、体型補正インナー２Ａは、ベージュ系のカラー生地で形成されており、衣服本体３Ａの上から透けないようになっている。
【００２７】
つぎに、衣服本体３Ａは、着用者が身体にまとうものであり、本第１実施形態では、上衣部分と下衣部分とが一体化されたワンピース型の白衣によって構成されている。なお、本考案において、衣服本体３Ａは、白衣に限定されるものではなく、一般的な衣服はもとより、スキーウェア、ゴルフウェア、ジャージ等のようなスポーツウェア、労働者向けの作業着のような衣服等、あらゆる種類の衣服を含む概念であり、また、ワンピース型の衣服に限定されるものではなく、単体の上衣や単体の下衣等のように、身体にまとうもの全てを含む概念である。
【００２８】
本第１実施形態の衣服本体３Ａには、図２に示すように、上衣部分の脇線および下衣部分の外側線に沿ってサイドファスナー３１が設けられている。また、各サイドファスナー３１の開口部には、それぞれ上衣部分および下衣部分のサイズを調整するサイズ調整生地３２が縫製されている。このサイズ調整生地３２は、サイドファスナー３１を閉じたときには衣服本体３Ａの裏側に収納され、サイドファスナー３１を開けたときには衣服本体３Ａの表側に現れるようになっている。また、本第１実施形態において、サイズ調整生地３２は、衣服本体３Ａとは異なる色の生地で構成されているため表側に現れた際には外観の印象も変えられることになり、デザイン的にも優れている。なお、サイドファスナー３１は、上衣部分の脇線および下衣部分の外側線のうち、いずれか一方のみに沿って設けてもよい。
【００２９】
また、本第１実施形態の衣服本体３Ａには、図１および図２に示すように、下衣部分の大腿部に、着用により吊り上がった衣服本体３Ａを元の下方位置に戻すために指を掛けられる指掛けタブ３３が設けられている。本第１実施形態において、指掛けタブ３３は、長方形状や半円形状にカットされたエナメル合皮を衣服本体３Ａに縫合することによって構成されている。
【００３０】
さらに、本第１実施形態では、図２に示すように、衣服本体３Ａの襟部３４には、端縁部に沿って形状記憶ワイヤー３５が収容されており、襟部３４の生地で被覆されている。また、襟部３４は、女性の顔に接触することを考慮し、化粧がつきにくい素材が用いられている。さらに、本第１実施形態の衣服本体３Ａは、看護師が着用する白衣として衛生面も考慮し、抗菌加工、防臭加工および抗ウイルス加工が施されている。なお、抗菌成分としては白金ナノコロイドが使用されている。また、上記の各特殊加工は少なくとも一以上が施されていればよい。
【００３１】
なお、本第１実施形態の衣服本体３Ａは、図１に示すように、前方がフロントファスナー（図示せず）によって開閉可能に構成されており、襟部３４の形状を規定していない。このため、フロントファスナーの上下位置によって、胸元の開閉度合いが自在に調節されるとともに、当該開閉度合いに応じて襟部３４の形状も変化するようになっている。
【００３２】
つぎに、以上の構成を備えた本第１実施形態の体型補正機能付き衣服１Ａによる作用について図面を参照しつつ説明する。
【００３３】
本第１実施形態の体型補正機能付き衣服１Ａを着用し、締付調整手段２２の左方務歯列２２ａにサイズ調整務歯列２２ｃを係合させた場合、体型補正インナー２Ａは着用者の身体を締め付けて体型を補正するサイズに設定される。このため、体型補正インナー２Ａは着用者のウェストを適度に締め付け、見た目にも美しい理想的なウェストラインに補正する。また、体型補正インナー２Ａが衣服本体３Ａの内側にしっかりと縫合されているため、着用によるめくれ、ズレおよび着くずれを防止し、きれいなボディラインを長時間に渡って保つ。
【００３４】
一方、締付調整手段２２の左方務歯列２２ａに右方務歯列２２ｂを係合させた場合、体型補正インナー２Ａによる身体の締め付け度合いが緩められる。また、スライドファスナー２２を開いた場合、体型補正インナー２Ａは身体の締め付けを開放する。このため、着用者は、食事の後や休憩中等のように、締め付けによる負担を少なくしたい場合、手軽に体型補正インナー２Ａのサイズを調節することが可能となる。
【００３５】
また、本第１実施形態では、図５に示すように、上衣部分および下衣部分のそれぞれに設けられたサイドファスナー３１を自由に開閉させられる。このため、実用的には、サイドファスナー３１を開閉するだけで着用可能なサイズ範囲が広がり、メーカーにとってもワンサイズで複数のサイズに対応可能な衣服を提供することができるため実用性が高まる。また、デザイン的には、サイズ調整生地３２の色が衣服本体３Ａとは異なるため、その日の気分等に合わせてサイドファスナー３１を開閉することにより、衣服本体３Ａの表側に現れるようにしたり、裏側に収納されるようにしたりし、周囲に与える印象を簡単に変化させられる。
【００３６】
さらに、着用者がイスに着席した際のように、衣服本体３Ａが着用により吊り上がった場合、着用者が指掛けタブ３３に指を掛けて衣服本体３Ａを簡単に下ろすことができる。このため、人前であっても、吊り上がった衣服本体３Ａをさりげなく元の位置に戻すことが可能となる。
【００３７】
また、本第１実施形態では、襟部３４の端縁部内に被覆された形状記憶ワイヤー３５が、襟部３４を所望の立体形状に保持する。このため、図６（ａ）に示すような襟を立てた状態や、図６（ｂ）に示すようにな襟を寝かした状態のみならず、所望の立体形状を長時間に渡ってキープする。
【００３８】
さらに、本第１実施形態の襟部３４は、女性の顔が接触しても化粧がつきにくいため、清潔感を持続しやすい。また、本第１実施形態の衣服本体３Ａには、抗菌加工、防臭加工および抗ウイルス加工が施されているため、病院や薬局等の高い衛生管理が求められる現場にも好適である。さらに、体型補正インナー２Ａは、パッド用ポケット２３に所望のバストパッドをセットすることで下着としても機能するため、別途下着を着用する必要がない。
【００３９】
以上のような第１実施形態の体型補正機能付き衣服１Ａによれば、以下のような効果を奏する。
１．着用による体型補正インナー２Ａのめくれ、ズレおよび着くずれ等を防止し、きれいなボディラインを保つことができる。
２．ＴＰＯに応じて体型補正インナー２Ａのサイズを簡単に調節することができる。
３．体型や気分に合わせて衣服本体３Ａのサイズやデザインを適宜変更することができる。
４．着用により吊り上がった衣服本体３Ａをさりげなく元に戻すことができる。
５．衣服本体３Ａの襟部３４を所望の立体形状に保持することができる。
６．襟部３４への化粧の付着を低減することができる。
７．抗菌効果、防臭効果および抗ウイルス効果を奏することができる。
【００４０】
つぎに、本発明に係る体型補正機能付き衣服１Ｂの第２実施形態について説明する。なお、本第２実施形態の構成のうち、上述した第１実施形態の構成と同等または相当する構成については同一の符号を付し、再度の説明を省略する。
【００４１】
図７および図８に示すように、本第２実施形態の体型補正機能付き衣服１Ｂは、男性用の白衣に適用したものである。本第２実施形態において、衣服本体３Ｂは、上着にあたる上衣により構成されており、当該上衣の内側に体型補正インナー２Ｂが一体的に取り付けられている。
【００４２】
体型補正インナー２Ｂは、第１実施形態と同様、身体のウェストを締め付ける作用とその締め付けを開放する作用とを任意に選択可能な締付調整手段２２を備えている。この締付調整手段２２は、図８に示すように、左右一対の務歯列２２ａ，２２ｂを備えたスライドファスナー２２によって正面が開閉可能に構成されている。また、本第２実施形態では、右方務歯列２２ｂから等間隔を隔てた異なる位置に、二本のサイズ調整務歯列２２ｃ，２２ｃが設けられている。このため、左方務歯列２２ａに係合させるサイズ調整務歯列２２ｃを適宜選択することで、体型補正インナー２Ｂのサイズ調節可能範囲が広がるようになっている。
【００４３】
以上のような本第２実施形態によれば、男性用の白衣についても、上述した第１実施形態の作用効果のうち上記１，２，３，７と同様の作用効果を奏する。
【００４４】
つぎに、本発明に係る体型補正機能付き衣服１Ｃの第３実施形態について説明する。なお、本第３実施形態の構成のうち、上述した第１、第２実施形態の構成と同等または相当する構成については同一の符号を付し、再度の説明を省略する。
【００４５】
図９に示すように、本第３実施形態の体型補正機能付き衣服１Ｃは、下衣に適用したものである。本第３実施形態において、衣服本体３Ｃは、ゴルフウェア等のズボンにあたる下衣により構成されており、当該下衣の各外側線に沿ってサイドファスナー３１を有しているとともに、当該下衣の内側に体型補正インナー２Ｃが一体的に取り付けられている。
【００４６】
具体的には、図９に示すように、下衣の内側における腰回りから股下部にかけて下衣用体型補正インナー２Ｃが縫製されている。この下衣用体型補正インナー２Ｃは、身体の脚部を締め付ける作用とその締め付けを開放する作用とを任意に選択可能な締付調整手段２２を備えており、この締付調整手段２２として、両足の大腿部、スネ部および外側線に沿って直線状のスライドファスナー２２を有している。各スライドファスナー２２は、衣服本体３Ｃのサイドファスナー３１を開放することにより操作可能となる。そして、各スライドファスナー２２を適宜開閉させることにより、大腿部、スネ部および外側線における締め付けを度合いを簡単に調節することが可能となる。
【００４７】
なお、本第３実施形態では、各スライドファスナー２２が直線状に形成されているが、この構成に限定されるものではなく、締め付け度合いを調整したい部位に合わせて適宜変更することができる。例えば、各スライドファスナー２２を曲線状に形成してもよく、Ｘ字状に形成してもよい。
【００４８】
以上の本第３実施形態によれば、上述した第１実施形態の作用効果のうち上記１，２，３，７と同様の作用効果を奏する。また、スライドファスナー２２を開放するだけで簡単に着用および脱衣できるため、ゴルフやスキー等のスポーツを行った後で疲労した着用者に負担をかけることなく簡単に脱衣することができる。
【００４９】
なお、本考案に係る体型補正機能付き衣服は、上述した各実施形態に限定されるものではなく、適宜変更することができる。例えば、上述した各実施形態では、本考案に係る体型補正機能付き衣服１Ａ，１Ｂ，１Ｃを白衣やゴルフウェアに適用しているが、これに限定されるものではなく、スキーウェアやドレス等のようにあらゆる種類の衣服に適用してもよい。
【００５０】
また、上述した各実施形態では、体型補正インナー２Ａ，２Ｂ，２Ｃが身体のウェストや脚部を締め付ける構成について説明したが、これらの構成に限定されるものではなく、ヒップの締め付け作用とその締め付け作用を開放する作用とを任意に選択可能な締付調整手段２２を備えていてもよい。
【符号の説明】
【００５１】
１Ａ，１Ｂ，１Ｃ  体型補正機能付き衣服
２Ａ，２Ｂ，２Ｃ  体型補正インナー
３Ａ，３Ｂ，３Ｃ  衣服本体
２１  縫合線
２２  締付調整手段（スライドファスナー）
２２ａ  左方務歯列
２２ｂ  右方務歯列
２２ｃ  サイズ調整務歯列
２２ｄ  スライダー
２３  パッド用ポケット
３１  サイドファスナー
３２  サイズ調整生地
３３  指掛けタブ
３４  襟部
３５  形状記憶ワイヤー
【図１】
0003184725.tif 000003
【図２】
0003184725.tif 000004
【図３】
0003184725.tif 000005
【図４】
0003184725.tif 000006
【図５】
0003184725.tif 000007
【図６】
0003184725.tif 000008
【図７】
0003184725.tif 000009
【図８】
0003184725.tif 000010
【図９】
0003184725.tif 000011